(57)【要約】      （修正有）【課題】間隙調整可能な組合せ式整髪用鋏の提供。【解決手段】第１の連結メンバ２は、第１側１１４と第２側１１５を具え、該第１の連結メンバ２の第１側１１４に第１の連結手段２１１が形成されて、該第１の連結手段２１１が分離可能に二ちょうの鋏１の一方の鋏の一方のハンドル１１１の第２側１１５に分離可能に連結され、該第１の連結メンバ２の第２側１１５に第２の連結手段２２１が形成されて上記少なくとも二ちょうの鋏１のもう一方の鋏の一方のハンドル１１１の第１側１１４に分離可能に連結され、第２の連結メンバは、第１の連結メンバ２と異なる厚さを具え、第１の連結メンバ２と第２の連結メンバが選択的に二ちょうの鋏の間の連結に供される。【選択図】        図１
2004357855.tif 000002
【特許請求の範囲】
【請求項１】
少なくとも二ちょうの鋏（１；１ａ；１ｂ；１，１Ａ，１Ｂ）と、第１の連結メンバ（２；２ａ；２ｂ）とを具え、
上記少なくとも二ちょうの鋏（１；１ａ；１ｂ；１，１Ａ，１Ｂ）はそれぞれ第１の鋏エレメント（１１）と該第１の鋏エレメント（１１）に枢接された第２の鋏エレメント（１２）を具え、各鋏エレメント（１１，１２）はブレード（１１０，１２０）とハンドル（１１１，１２１）を具え、各ハンドル（１１１，１２１）が第１側（１１４，１２４）と第２側（１１５，１２５）を具え、
上記第１の連結メンバ（２；２ａ；２ｂ）は第１側と第２側を具え、第１の連結手段（２１１；５）が第１の連結メンバ（２；２ａ；２ｂ）の第１側に形成されて分離可能に上述の二ちょうの鋏（１；１ａ；１ｂ；１，１Ａ，１Ｂ）のうちの一つの鋏の一方のハンドル（１１１，１２１）の第２側（１１５，１２５）に連結され、第２の連結手段（２２１）が第１の連結メンバ（２；２ａ）の第２側に形成されて分離可能に他の鋏の一方のハンドル（１１１）の第１側（１１４，１２４）に連結されている、間隙調整可能な組合せ式整髪用鋏において、
第１の連結メンバ（２；２ａ；２ｂ）と異なる厚さを具えた第２の連結メンバ（２’；２ａ；２ｂ）を具え、第３の連結手段（２１１；５）が該第２の連結メンバ（２’；２ａ；２ｂ）の第１側に形成されて分離可能に上記少なくとも二ちょうの鋏の一つの鋏の一方のハンドル（１１１，１２１）の第２側（１１５，１２５）に連結され、第４の連結手段（２１１；６）が該第２の連結メンバ（２’；２ａ；２ｂ）の第２側に形成されて分離可能に上記少なくとも二ちょうの鋏の他の一つの鋏の一方のハンドル（１１１，１２１）の第１側（１１４，１２４）に連結され、
上記第１の連結メンバ（２；２ａ；２ｂ）と上記第２の連結メンバ（２’；２ａ；２ｂ）が選択的に少なくとも二ちょうの鋏の一つの鋏と該少なくとも二ちょうの鋏の他の一つの鋏との間に連結されることにより、少なくとも二ちょうの鋏の間の間隙が改変されることを特徴とする、間隙調整可能な組合せ式整髪用鋏。
【請求項２】
二ちょうの鋏（１；１ａ）と、二つの第１の連結メンバ（２；２ａ）とを具え、
上記二ちょうの鋏（１；１ａ）はそれぞれ第１の鋏エレメント（１１）と該第１の鋏エレメント（１１）に枢接された第２の鋏エレメント（１２）を具え、各鋏エレメント（１１，１２）はブレード（１１０，１２０）とハンドル（１１１，１２１）を具え、各ハンドル（１１１，１２１）が第１側（１１４，１２４）と第２側（１１５，１２５）を具え、
上記二つの第１の連結メンバ（２；２ａ）は第１側と第２側を具え、第１の連結手段（２１１）が第１の連結メンバ（２；２ａ）の第１側に形成されて分離可能に上述の二ちょうの鋏のうちの一つの鋏の一方のハンドル（１１１，１２１）の第２側（１１５，１２５）に連結され、第２の連結手段（２２１；６）が第１の連結メンバ（２；２ａ；２ｂ）の第２側に形成されて分離可能に該二ちょうの鋏の他の鋏の一方のハンドル（１１１，１２１）の第１側に連結されている、間隙調整可能な組合せ式整髪用鋏において、
第１の連結メンバ（２；２ａ）と異なる厚さを具えた第２の連結メンバ（２’；２ａ）を具え、第３の連結手段（２１１）が該第２の連結メンバの第１側に形成されて分離可能に上記二ちょうの鋏の一つの鋏の一方のハンドル（１１１，１２１）の第２側（１１５，１２５）に連結され、第４の連結手段（２１１）が該第２の連結メンバ（２’；２ａ）の第２側に形成されて分離可能に上記二ちょうの鋏の他の一つの鋏の一方のハンドル（１１１，１２１）の第１側（１１４，１２４）に連結され、
上記第１の連結メンバ（２；２ａ）と上記第２の連結メンバ（２’；２ａ）が選択的に二ちょうの鋏の一つの鋏と該二ちょうの鋏の他の一つの鋏との間に連結されることにより、二ちょうの鋏の間の間隙が改変されることを特徴とする、間隙調整可能な組合せ式整髪用鋏。
【請求項３】
請求項２記載の間隙調整可能な組合せ式整髪用鋏において、第１の連結手段（２１１）が第３の連結手段（２１１）と同じものとされたことを特徴とする、間隙調整可能な組合せ式整髪用鋏。
【請求項４】
請求項３記載の間隙調整可能な組合せ式整髪用鋏において、第２の連結手段（２２１）が第４の連結手段（２２１）と同じものとされたことを特徴とする、間隙調整可能な組合せ式整髪用鋏。
【請求項５】
請求項４記載の間隙調整可能な組合せ式整髪用鋏において、各ハンドル（１１１，１２１）がハンドル（１１１，１２１）の第１側（１１４，１２４）より該ハンドル（１１１，１２１）の第２側（１１５，１２５）を貫通するよう延伸された開口（１１３，１２３）を具え、結合メンバ（１３，１４）が各ハンドル（１１１，１２１）の開口（１１３，１２３）に収容され、該結合メンバ（１３，１４）が第１側と第２側を具え、該結合メンバ（１３，１４）の第１側に第５の連結手段（１３１，１４１）が形成されて、該第５の連結手段（１３１，１４１）が第１の連結手段（２１１）と同じものとされ、第６の連結手段（１３２，１４２）が結合メンバ（１３，１４）の第２側に形成され、該第６の連結手段（１３２，１４２）が第２の連結手段（２２１）と同じものとされたことを特徴とする、間隙調整可能な組合せ式整髪用鋏。
【請求項６】
請求項５記載の間隙調整可能な組合せ式整髪用鋏において、第１の連結手段が、略Ｌ形の連結リブとされ、第２の連結手段が略Ｌ形溝とされたことを特徴とする、間隙調整可能な組合せ式整髪用鋏。
【請求項７】
請求項５記載の間隙調整可能な組合せ式整髪用鋏において、結合メンバ（１３’，１４’）が前記開口の深さより大きな厚さを具えたことを特徴とする、間隙調整可能な組合せ式整髪用鋏。
【請求項８】
二ちょうの鋏（１；１ａ）を具え、上記二ちょうの鋏（１；１ａ）はそれぞれ第１の鋏エレメント（１１）と該第１の鋏エレメント（１１）に枢接された第２の鋏エレメント（１２）を具え、各鋏エレメント（１１，１２）はブレード（１１０，１２０）とハンドル（１１１，１２１）を具え、各ハンドル（１１１，１２１）が第１側（１１４，１２４）と第２側（１１５，１２５）を具え、該ハンドル（１１１，１２１）が該ハンドル（１１１，１２１）の第１側（１１４，１２４）より該ハンドル（１１１，１２１）の第２側（１１５，１２５）に貫通するよう延伸された開口（１１３，１２３）を具えている、間隙調整可能な組合せ式整髪用鋏において、
少なくとも三対の結合メンバ（１３’，１４’）がハンドルの該開口（１１３，１２３）に選択的に取り付けられ、該少なくとも３対の連結メンバの少なくとも一対が残りの結合メンバ（１３’，１４’）と異なる厚さを有し、各結合メンバ（１３’，１４’）が該開口（１１３，１２３）の深さより大きい厚さを具え、これにより該結合メンバ（１３’，１４’）が対応する開口（１１３，１２３）の外部に露出し、各結合メンバ（１３’，１４’）が第１側と第２側を具え、第１の連結手段（１３１，１４１）が各結合メンバ（１３’，１４’）の第１側に形成され、第２の連結手段（１３２，１４２）が各連結手段（２１１，５）の第２側に形成され、二ちょうの鋏のうち一方の鋏の各第２の連結手段（１３２，１４２）が分離可能にもう一方の鋏の対応する第１の連結手段（１３１，１４１）に連結され、
少なくとも三対の結合メンバ（１３’，１４’）のうち二対の結合メンバ（１３’，１４’）が選択されて二ちょうの鋏の一方を他の鋏に連結させることにより、二ちょうの鋏の間の間隙が改変可能とされることを特徴とする、間隙調整可能な組合せ式整髪用鋏。
【請求項９】
第１の鋏（１，１ｂ）と、第２の鋏（１Ａ，１ｂ）と、第３の鋏（１，１ｂ）を含む少なくとも三ちょうの鋏（１，１Ａ，１Ｂ；１ｂ）を具え、各鋏がそれぞれ第１の鋏エレメント（１１）と該第１の鋏エレメント（１１）に枢接された第２の鋏エレメント（１２）を具え、各鋏エレメント（１１，１２）はブレード（１１０，１２０）とハンドル（１１１，１２１）を具え、各ハンドル（１１１，１２１）が第１側（１１４，１２４）と第２側（１１５，１２５）を具え、
第１の連結メンバ（２；２ｂ）が設けられ、該第１の連結メンバ（２；２ｂ）が第１側と第２側を具え、第１側に第１の連結手段（２１１，５）が設けられて分離可能に第１の鋏（１，１ｂ）の一方のハンドル（１１１，１２１）の第２側（１１５，１２５）に連結され、第２の連結手段（２２１；６）が第１の鋏（２）の第２側に形成されて分離可能に第２の鋏（１Ａ，１ｂ）の一方のハンドル（１１１，１２１）の第１側（１１４，１２４）に連結された、間隙調整可能な組合せ式整髪用鋏において、
第２の連結メンバ（２；２ｂ）が第１の連結メンバ（２；２ｂ）と異なる厚さを具え、第３の連結手段（２１１；５）が第２の連結メンバ（２；２ｂ）の第１側に形成されて第２の鋏（１Ａ，１ｂ）の一方のハンドル（１１１，１２１）の第２側（１１５，１２５）に分離可能に連結され、第４の連結手段（２２１；６）が第２の連結メンバ（２）の第２側に形成されて第３の鋏（１Ｂ，１ｂ）の一方のハンドル（１１１，１２１）の第１側（１１４，１２４）に分離可能に連結されたことを特徴とする、間隙調整可能な組合せ式整髪用鋏。
【請求項１０】
請求項９記載の間隙調整可能な組合せ式整髪用鋏において、第１の連結手段（２１１；５）が第３の連結手段（２１１；５）と同じとされたことを特徴とする、間隙調整可能な組合せ式整髪用鋏。
【請求項１１】
請求項１０記載の間隙調整可能な組合せ式整髪用鋏において、第２の連結手段（２２１；６）が第４の連結手段（２２１；６）と同じとされたことを特徴とする、間隙調整可能な組合せ式整髪用鋏。
【請求項１２】
請求項１１記載の間隙調整可能な組合せ式整髪用鋏において、各ハンドル（１１１，１２１）がハンドル（１１１，１２１）の第１側（１１４，１２４）より該ハンドル（１１１，１２１）の第２側（１１５，１２５）を貫通するよう延伸された開口（１１３，１２３）を具え、結合メンバ（１３，１４）が開口（１１３，１２３）に収容され、該結合メンバ（１３，１４）が第１側と第２側を具え、該結合メンバ（１３，１４）の第１側に第５の連結手段（１３１，１４１）が形成されて、該第５の連結手段（１３１，１４１）が第１の連結手段（２１１）と同じものとされ、第６の連結手段（１３２，１４２）が結合メンバ（１３，１４）の第２側に形成され、該第６の連結手段（１３２，１４２）が第２の連結手段（２２１）と同じものとされたことを特徴とする、間隙調整可能な組合せ式整髪用鋏。
【請求項１３】
請求項１２記載の間隙調整可能な組合せ式整髪用鋏において、各鋏（１，１ｂ）のハンドル（１１１，１２１）と、第２の鋏（１Ａ，１ｂ）のハンドル（１１１，１２１）の間に、少なくとも一つの第１の連結手段（２；２ｂ）が取り付けられたことを特徴とする、間隙調整可能な組合せ式整髪用鋏。
【請求項１４】
請求項１２記載の間隙調整可能な組合せ式整髪用鋏において、第２の鋏（１Ａ，１ｂ）のハンドル（１１１）と、第３の鋏（１Ｂ；１ｂ）のハンドル（１１１，１２１）の間に、少なくとも一つの第２の連結手段（２；２ｂ）が取り付けられたことを特徴とする、間隙調整可能な組合せ式整髪用鋏。
【発明の詳細な説明】
【０００１】
【発明の属する技術分野】
本発明は一種の間隙調整可能な組合せ式整髪用鋏に係り、特に少なくとも二ちょうの鋏を具え、整髪の必要に応じて隣り合う二ちょうの鋏の間の間隙を簡単に調整できる、間隙調整可能な組合せ式整髪用鋏に関する。
【０００２】
【従来の技術】
顔の輪郭により似合う髪形は異なる。このため、ヘアスタイリストは顧客の顔の輪郭と特徴に合わせて髪をいくつかのテクニック、例えばトミング、すき入れ、段づけなどの技術でカットする。特許文献１及び２には、連結ブロックにより分離可能に一体に連結された複数の鋏で組成された組合せ式整髪用鋏が記載されている。しかし、隣接する二ちょうの鋏の間の間隙が固定されているため、カット機能が限定されてしまう。このため、隣接する二ちょうの鋏間の間隙を具えた組合せ式整髪用鋏は、特殊な顔の輪郭を有するある顧客には適合するが、別の顔の輪郭を有する他の顧客には適合しない。また、髪の長さも考慮しなくてはならない。このため、ヘアスタイリストが間隙調整可能な組合せ式整髪用鋏を用いて整髪を完成するには時間がかかる。特許文献３には複数の鋏を具えたカット工具が記載されており、その隣接する二ちょうの鋏の間は離間エレメントにより離間されている。離間エレメントは同じ或いは異なる長さとされる。しかし、離間要求に合わせて調整して全部の鋏を取り付けるための部品が多いため、部品の組合せと分離が面倒である。
【０００３】
【特許文献１】
米国特許第６，１９２，５９０号明細書
【特許文献２】
米国特許第６，４３４，８３３号明細書
【特許文献３】
米国特許第５，９９６，５９２号明細書
【０００４】
【発明が解決しようとする課題】
本発明は一種の組合せ式整髪用鋏を提供することを課題とし、それは少なくとも二ちょうの鋏を具え、隣接する二ちょうの鋏間の間隙を整髪の必要に応じて簡単に調整できるものとする。
【０００５】
【課題を解決するための手段】
請求項１の発明は、少なくとも二ちょうの鋏（１；１ａ；１ｂ；１，１Ａ，１Ｂ）と、第１の連結メンバ（２；２ａ；２ｂ）とを具え、
上記少なくとも二ちょうの鋏（１；１ａ；１ｂ；１，１Ａ，１Ｂ）はそれぞれ第１の鋏エレメント（１１）と該第１の鋏エレメント（１１）に枢接された第２の鋏エレメント（１２）を具え、各鋏エレメント（１１，１２）はブレード（１１０，１２０）とハンドル（１１１，１２１）を具え、各ハンドル（１１１，１２１）が第１側（１１４，１２４）と第２側（１１５，１２５）を具え、
上記第１の連結メンバ（２；２ａ；２ｂ）は第１側と第２側を具え、第１の連結手段（２１１；５）が第１の連結メンバ（２；２ａ；２ｂ）の第１側に形成されて分離可能に上述の二ちょうの鋏（１；１ａ；１ｂ；１，１Ａ，１Ｂ）のうちの一つの鋏の一方のハンドル（１１１，１２１）の第２側（１１５，１２５）に連結され、第２の連結手段（２２１）が第１の連結メンバ（２；２ａ）の第２側に形成されて分離可能に他の鋏の一方のハンドル（１１１）の第１側（１１４，１２４）に連結されている、間隙調整可能な組合せ式整髪用鋏において、
第１の連結メンバ（２；２ａ；２ｂ）と異なる厚さを具えた第２の連結メンバ（２’；２ａ；２ｂ）を具え、第３の連結手段（２１１；５）が該第２の連結メンバ（２’；２ａ；２ｂ）の第１側に形成されて分離可能に上記少なくとも二ちょうの鋏の一つの鋏の一方のハンドル（１１１，１２１）の第２側（１１５，１２５）に連結され、第４の連結手段（２１１；６）が該第２の連結メンバ（２’；２ａ；２ｂ）の第２側に形成されて分離可能に上記少なくとも二ちょうの鋏の他の一つの鋏の一方のハンドル（１１１，１２１）の第１側（１１４，１２４）に連結され、
上記第１の連結メンバ（２；２ａ；２ｂ）と上記第２の連結メンバ（２’；２ａ；２ｂ）が選択的に少なくとも二ちょうの鋏の一つの鋏と該少なくとも二ちょうの鋏の他の一つの鋏との間に連結されることにより、少なくとも二ちょうの鋏の間の間隙が改変されることを特徴とする、間隙調整可能な組合せ式整髪用鋏としている。
請求項２の発明は、二ちょうの鋏（１；１ａ）と、二つの第１の連結メンバ（２；２ａ）とを具え、
上記二ちょうの鋏（１；１ａ）はそれぞれ第１の鋏エレメント（１１）と該第１の鋏エレメント（１１）に枢接された第２の鋏エレメント（１２）を具え、各鋏エレメント（１１，１２）はブレード（１１０，１２０）とハンドル（１１１，１２１）を具え、各ハンドル（１１１，１２１）が第１側（１１４，１２４）と第２側（１１５，１２５）を具え、
上記二つの第１の連結メンバ（２；２ａ）は第１側と第２側を具え、第１の連結手段（２１１）が第１の連結メンバ（２；２ａ）の第１側に形成されて分離可能に上述の二ちょうの鋏のうちの一つの鋏の一方のハンドル（１１１，１２１）の第２側（１１５，１２５）に連結され、第２の連結手段（２２１；６）が第１の連結メンバ（２；２ａ；２ｂ）の第２側に形成されて分離可能に該二ちょうの鋏の他の鋏の一方のハンドル（１１１，１２１）の第１側に連結されている、間隙調整可能な組合せ式整髪用鋏において、
第１の連結メンバ（２；２ａ）と異なる厚さを具えた第２の連結メンバ（２’；２ａ）を具え、第３の連結手段（２１１）が該第２の連結メンバの第１側に形成されて分離可能に上記二ちょうの鋏の一つの鋏の一方のハンドル（１１１，１２１）の第２側（１１５，１２５）に連結され、第４の連結手段（２１１）が該第２の連結メンバ（２’；２ａ）の第２側に形成されて分離可能に上記二ちょうの鋏の他の一つの鋏の一方のハンドル（１１１，１２１）の第１側（１１４，１２４）に連結され、
上記第１の連結メンバ（２；２ａ）と上記第２の連結メンバ（２’；２ａ）が選択的に二ちょうの鋏の一つの鋏と該二ちょうの鋏の他の一つの鋏との間に連結されることにより、二ちょうの鋏の間の間隙が改変されることを特徴とする、間隙調整可能な組合せ式整髪用鋏としている。
請求項３の発明は、請求項２記載の間隙調整可能な組合せ式整髪用鋏において、第１の連結手段（２１１）が第３の連結手段（２１１）と同じものとされたことを特徴とする、間隙調整可能な組合せ式整髪用鋏としている。
請求項４の発明は、請求項３記載の間隙調整可能な組合せ式整髪用鋏において、第２の連結手段（２２１）が第４の連結手段（２２１）と同じものとされたことを特徴とする、間隙調整可能な組合せ式整髪用鋏としている。
請求項５の発明は、請求項４記載の間隙調整可能な組合せ式整髪用鋏において、各ハンドル（１１１，１２１）がハンドル（１１１，１２１）の第１側（１１４，１２４）より該ハンドル（１１１，１２１）の第２側（１１５，１２５）を貫通するよう延伸された開口（１１３，１２３）を具え、結合メンバ（１３，１４）が各ハンドル（１１１，１２１）の開口（１１３，１２３）に収容され、該結合メンバ（１３，１４）が第１側と第２側を具え、該結合メンバ（１３，１４）の第１側に第５の連結手段（１３１，１４１）が形成されて、該第５の連結手段（１３１，１４１）が第１の連結手段（２１１）と同じものとされ、第６の連結手段（１３２，１４２）が結合メンバ（１３，１４）の第２側に形成され、該第６の連結手段（１３２，１４２）が第２の連結手段（２２１）と同じものとされたことを特徴とする、間隙調整可能な組合せ式整髪用鋏としている。
請求項６の発明は、請求項５記載の間隙調整可能な組合せ式整髪用鋏において、第１の連結手段が、略Ｌ形の連結リブとされ、第２の連結手段が略Ｌ形溝とされたことを特徴とする、間隙調整可能な組合せ式整髪用鋏としている。
請求項７の発明は、請求項５記載の間隙調整可能な組合せ式整髪用鋏において、結合メンバ（１３’，１４’）が前記開口の深さより大きな厚さを具えたことを特徴とする、間隙調整可能な組合せ式整髪用鋏としている。
請求項８の発明は、二ちょうの鋏（１；１ａ）を具え、上記二ちょうの鋏（１；１ａ）はそれぞれ第１の鋏エレメント（１１）と該第１の鋏エレメント（１１）に枢接された第２の鋏エレメント（１２）を具え、各鋏エレメント（１１，１２）はブレード（１１０，１２０）とハンドル（１１１，１２１）を具え、各ハンドル（１１１，１２１）が第１側（１１４，１２４）と第２側（１１５，１２５）を具え、該ハンドル（１１１，１２１）が該ハンドル（１１１，１２１）の第１側（１１４，１２４）より該ハンドル（１１１，１２１）の第２側（１１５，１２５）に貫通するよう延伸された開口（１１３，１２３）を具えている、間隙調整可能な組合せ式整髪用鋏において、
少なくとも三対の結合メンバ（１３’，１４’）がハンドルの該開口（１１３，１２３）に選択的に取り付けられ、該少なくとも３対の連結メンバの少なくとも一対が残りの結合メンバ（１３’，１４’）と異なる厚さを有し、各結合メンバ（１３’，１４’）が該開口（１１３，１２３）の深さより大きい厚さを具え、これにより該結合メンバ（１３’，１４’）が対応する開口（１１３，１２３）の外部に露出し、各結合メンバ（１３’，１４’）が第１側と第２側を具え、第１の連結手段（１３１，１４１）が各結合メンバ（１３’，１４’）の第１側に形成され、第２の連結手段（１３２，１４２）が各連結手段（２１１，５）の第２側に形成され、二ちょうの鋏のうち一方の鋏の各第２の連結手段（１３２，１４２）が分離可能にもう一方の鋏の対応する第１の連結手段（１３１，１４１）に連結され、
少なくとも三対の結合メンバ（１３’，１４’）のうち二対の結合メンバ（１３’，１４’）が選択されて二ちょうの鋏の一方を他の鋏に連結させることにより、二ちょうの鋏の間の間隙が改変可能とされることを特徴とする、間隙調整可能な組合せ式整髪用鋏としている。
請求項９の発明は、第１の鋏（１，１ｂ）と、第２の鋏（１Ａ，１ｂ）と、第３の鋏（１，１ｂ）を含む少なくとも三ちょうの鋏（１，１Ａ，１Ｂ；１ｂ）を具え、各鋏がそれぞれ第１の鋏エレメント（１１）と該第１の鋏エレメント（１１）に枢接された第２の鋏エレメント（１２）を具え、各鋏エレメント（１１，１２）はブレード（１１０，１２０）とハンドル（１１１，１２１）を具え、各ハンドル（１１１，１２１）が第１側（１１４，１２４）と第２側（１１５，１２５）を具え、
第１の連結メンバ（２；２ｂ）が設けられ、該第１の連結メンバ（２；２ｂ）が第１側と第２側を具え、第１側に第１の連結手段（２１１，５）が設けられて分離可能に第１の鋏（１，１ｂ）の一方のハンドル（１１１，１２１）の第２側（１１５，１２５）に連結され、第２の連結手段（２２１；６）が第１の鋏（２）の第２側に形成されて分離可能に第２の鋏（１Ａ，１ｂ）の一方のハンドル（１１１，１２１）の第１側（１１４，１２４）に連結された、間隙調整可能な組合せ式整髪用鋏において、
第２の連結メンバ（２；２ｂ）が第１の連結メンバ（２；２ｂ）と異なる厚さを具え、第３の連結手段（２１１；５）が第２の連結メンバ（２；２ｂ）の第１側に形成されて第２の鋏（１Ａ，１ｂ）の一方のハンドル（１１１，１２１）の第２側（１１５，１２５）に分離可能に連結され、第４の連結手段（２２１；６）が第２の連結メンバ（２）の第２側に形成されて第３の鋏（１Ｂ，１ｂ）の一方のハンドル（１１１，１２１）の第１側（１１４，１２４）に分離可能に連結されたことを特徴とする、間隙調整可能な組合せ式整髪用鋏としている。
請求項１０の発明は、請求項９記載の間隙調整可能な組合せ式整髪用鋏において、第１の連結手段（２１１；５）が第３の連結手段（２１１；５）と同じとされたことを特徴とする、間隙調整可能な組合せ式整髪用鋏としている。
請求項１１の発明は、請求項１０記載の間隙調整可能な組合せ式整髪用鋏において、第２の連結手段（２２１；６）が第４の連結手段（２２１；６）と同じとされたことを特徴とする、間隙調整可能な組合せ式整髪用鋏としている。
請求項１２の発明は、請求項１１記載の間隙調整可能な組合せ式整髪用鋏において、各ハンドル（１１１，１２１）がハンドル（１１１，１２１）の第１側（１１４，１２４）より該ハンドル（１１１，１２１）の第２側（１１５，１２５）を貫通するよう延伸された開口（１１３，１２３）を具え、結合メンバ（１３，１４）が開口（１１３，１２３）に収容され、該結合メンバ（１３，１４）が第１側と第２側を具え、該結合メンバ（１３，１４）の第１側に第５の連結手段（１３１，１４１）が形成されて、該第５の連結手段（１３１，１４１）が第１の連結手段（２１１）と同じものとされ、第６の連結手段（１３２，１４２）が結合メンバ（１３，１４）の第２側に形成され、該第６の連結手段（１３２，１４２）が第２の連結手段（２２１）と同じものとされたことを特徴とする、間隙調整可能な組合せ式整髪用鋏としている。
請求項１３の発明は、請求項１２記載の間隙調整可能な組合せ式整髪用鋏において、各鋏（１，１ｂ）のハンドル（１１１，１２１）と、第２の鋏（１Ａ，１ｂ）のハンドル（１１１，１２１）の間に、少なくとも一つの第１の連結手段（２；２ｂ）が取り付けられたことを特徴とする、間隙調整可能な組合せ式整髪用鋏としている。
請求項１４の発明は、請求項１２記載の間隙調整可能な組合せ式整髪用鋏において、第２の鋏（１Ａ，１ｂ）のハンドル（１１１）と、第３の鋏（１Ｂ；１ｂ）のハンドル（１１１，１２１）の間に、少なくとも一つの第２の連結手段（２；２ｂ）が取り付けられたことを特徴とする、間隙調整可能な組合せ式整髪用鋏としている。
【０００６】
【発明の実施の形態】
本発明の第１の実施例によると、組合せ式整髪用鋏は、少なくとも二ちょうの鋏、第１の連結メンバ、第２の連結メンバを具え、
該少なくとも二ちょうの鋏は、第１の鋏エレメントと該第１の鋏エレメントに枢接された第２の鋏エレメントをそれぞれが具え、第１の鋏エレメントと第２の鋏エレメントそれぞれが第１側と第２側を具えた刃とハンドルを具え、
該第１の連結メンバは、第１側と第２側を具え、該第１の連結メンバの第１側に第１の連結手段が形成されて、該第１の連結手段が分離可能に上記少なくとも二ちょうの鋏の一方の鋏の一方のハンドルの第２側に分離可能に連結され、該第１の連結メンバの第２側に第２の連結手段が形成されて上記少なくとも二ちょうの鋏のもう一方の鋏の一方のハンドルの第１側に分離可能に連結され、
該第２の連結メンバは、第１の連結メンバと異なる厚さを具え、第３の連結手段が該第２の連結メンバの第１側に形成されて上記少なくとも二ちょうの鋏の一方の鋏の一方のハンドルの第２側に分離可能に連結され、第４連結手段が該第２の連結メンバの第２側に形成されて上記少なくとも二ちょうの鋏のもう一方の鋏の一方のハンドルの第１側に分離可能に連結され、
該第１の連結メンバ或いは第２の連結メンバが選択的に上記少なくとも二ちょうの鋏の間の連結に供され、該少なくとも二ちょうの鋏の間の間隙を変更可能である。
【０００７】
本発明の第２の実施例によると、組合せ式整髪用鋏は、二ちょうの鋏、二つの第１の連結メンバ、二つの第２の連結メンバを具え、
該二ちょうの鋏は、第１の鋏エレメントと該第１の鋏エレメントに枢接された第２の鋏エレメントをそれぞれが具え、第１の鋏エレメントと第２の鋏エレメントそれぞれが第１側と第２側を具えた刃とハンドルを具え、
該二つの第１の連結メンバは、それぞれが第１側と第２側を具え、該第１の連結メンバの第１側に第１の連結手段が形成されて、該第１の連結手段が分離可能に上記二ちょうの鋏の一方の鋏の一方のハンドルの第２側に分離可能に連結され、該第１の連結メンバの第２側に第２の連結手段が形成されて上記二ちょうの鋏のもう一方の鋏の一方のハンドルの第１側に分離可能に連結され、
該二つの第２の連結メンバは、第１の連結メンバと異なる厚さを具え、第３の連結手段が該第２の連結メンバの第１側に形成されて上記二ちょうの鋏の一方の鋏の一方のハンドルの第２側に分離可能に連結され、第４連結手段が該第２の連結メンバの第１側に形成されて上記二ちょうの鋏のもう一方の鋏の一方のハンドルの第１側に分離可能に連結され、
該第１の連結メンバ或いは第２の連結メンバが選択的に上記二ちょうの鋏の連結に供され、これにより該二ちょうの鋏の間の間隙を変更可能である。
【０００８】
本発明の第３の実施例によると、組合せ式整髪用鋏は、二ちょうの鋏と少なくとも３対の連結メンバとを具え、
該二ちょうの鋏は、第１の鋏エレメントと該第１の鋏エレメントに枢接された第２の鋏エレメントをそれぞれが具え、第１の鋏エレメントと第２の鋏エレメントそれぞれが第１側と第２側を具えた刃とハンドルを具え、該ハンドルが更にその第１側に該ハンドルの第２側へと貫通するよう延伸された開口を具え、
該少なくとも３対の連結メンバは、ハンドルの該開口に取り付けられ、該少なくとも３対の連結メンバの少なくとも一対が残りの連結メンバと異なる厚さを有し、各連結メンバが該開口の深さより大きい厚さを具え、これにより該連結メンバが対応する開口の外部に露出し、各連結メンバが第１側と第２側を具え、第１の連結手段が第１の連結メンバの第１側に形成され、第２の連結手段が該第１の連結手段の第２側に形成され、該二ちょうの鋏の一方の鋏の第２の連結手段がもう一方の鋏の第１の連結メンバの一つに分離可能に連結され、
該少なくとも３対の連結メンバの２対の連結メンバが二ちょうの鋏の連結に供され、これにより該二ちょうの鋏の間の間隙を変更可能である。
【０００９】
本発明の第４実施例によると、組合せ式整髪用鋏は、少なくとも三ちょうの鋏と第１の連結メンバと第２の連結メンバを具え、
該少なくとも三ちょうの鋏は、第１の鋏と第２の鋏、及び第３の鋏を具え、各鋏が第１の鋏エレメントと該第１の鋏エレメントに枢接された第２の鋏エレメントを具え、各第１の鋏エレメントと各第２の鋏エレメントが第１側と第２側を具えた刃とハンドルを具え、
該第１の連結メンバは、第１側と第２側を具え、第１の連結手段がこの第１側に形成されて第１の鋏の一方のハンドルの第２側に分離可能に連結され、第２の連結手段が該第１の連結メンバの第２側に形成されて第２の鋏の一方のハンドルの第１側に分離可能に連結され、
該第２の連結メンバは、第１の連結メンバと異なる厚さを有し、第３の連結手段が第２の連結メンバの第１側に形成されて第２の鋏のハンドルの一方の第２側に分離可能に連結され、第４の連結手段が第２の連結メンバの第２側に形成されて、第３の鋏のハンドルの一方の第１側に分離可能に連結されている。
【００１０】
【実施例】
図１は本発明の組合せ式整髪用鋏の第１の実施例を示す。この実施例において、組合せ式整髪用鋏は、少なくとも二ちょうの鋏（１）と二ちょうの鋏（１）の間に連結された二つの連結メンバ（２）を具えている。図２に示される連結メンバ（２）は、更に厚い連結メンバ（２’）に交換可能で、これにより鋏（１）間の間隔を改変することができる。
【００１１】
図１に示されるように、鋏（１）は第１の鋏エレメント（１１）と該第１の鋏エレメント（１１）に枢接された第２の鋏エレメント（１２）を具え、各鋏エレメント（１１，１２）は一端にブレード（１１０，１２０）を具え、別端にハンドル（１１１、１２１）を具えている。各ハンドル（１１１，１２１）は使用者の親指或いは人指し指を通すためのリング部（１１２，１２２）を具えている。各ハンドル（１１１，１２１）はさらにハンドル（１１１，１２１）の第１側（１１４，１２４）より該ハンドル（１１１，１２１）の第２側（１１５，１２５）を貫通するよう延伸された開口（１１３，１２３）を具えている。結合メンバ（１３，１４）が各ハンドル（１１１，１２１）の開口（１１３，１２３）に収容され、該結合メンバ（１３，１４）の第１側に連結溝（１３２，１４２）があり、該結合メンバ（１３，１４）の第２側に連結リブ（１３１，１４１）がある。各連結溝（１３２，１４２）は垂直部（１３４，１４４）と水平部（１３３，１４３）を具えている。各連結リブ（１３１，１４１）は略Ｌ形を呈し、垂直部（１３５，１４５）と水平部（１３６，１４６）を具えている。
【００１２】
図１、図４及び図５に示されるように、各連結メンバ（２）はその第１側に連結リブ（２１１）を具え、第２側に連結溝（２２１）を具えている。該連結リブ（２１１）は対応する結合メンバ（１３，１４）の連結溝（１３２，１４２）の垂直部（１３４，１４４）にスライド式に収容される垂直部（２１２）を具えている。該連結リブ（２１１）はさらに対応する結合メンバ（１３，１４）の連結溝（１３２，１４２）の水平部（１３３，１４３）を通過可能な水平部（２１３）を具えている。各連結メンバ（２）の連結溝（２２１）は対応する結合メンバ（１３，１４）の垂直部（１３５，２３５）をスライド式に収容する垂直部（２２３）を具えている。該連結溝（２２１）はさらに、対応する結合メンバ（１３，１４）の連結リブ（１３１，１４１）の水平部（１３６，２３６）をスライド式に通過させて連結溝（２２１）に連通する垂直チャネル（２２０）へと導入するための水平部（２２２）を具えている。
【００１３】
組合せ時には、連結メンバ（２）の連結リブ（２１１）の水平部（２１３）が対応する結合メンバ（１３，１４）の連結溝（１３２，１４２）の水平部（１３３，１４３）を通過させられ、それから連結メンバ（２）が下向きに所定の位置までスライドさせられることにより、一方の鋏（１）の開口（１１３，１２３）中に固定された結合メンバ（１３，１４）に連結メンバ（２）が連結される。次に、他の鋏（１）が連結されるが、この時は、各結合メンバ（１３，１４）の連結リブ（１３１，１４１）の水平部（１３６，１４６）が対応する連結メンバ（２）の連結溝（２２１）の水平部（２２２）を通過させられてからたの鋏（１）が下方にスライドさせられることにより連結が達成される。こうして形成された構造は図２に示される。組合せ式整髪用鋏の分離は組合せと反対の手順により容易に行われる。
【００１４】
上述したように、二ちょうの鋏（１）の間の間隔の調整が必要である時、使用者は二ちょうの鋏（１）を分離し、連結メンバ（２）を更に厚い連結メンバ（２’）に交換することができる。連結メンバ（２’）及びこれらの鋏（１）が組み合わされて形成される組合せ式整髪用鋏は、より大きい間隔を具え、これは図３に示されるとおりである。間隔の調整は、顔の輪郭、カットする髪の量、使用されるカット技術に依る。
【００１５】
図６は本発明の組合せ式整髪用鋏の別の実施例を示す。この実施例によると、組合せ式整髪用鋏は第１の鋏（１）、連結メンバ（２）により第１の鋏（１Ａ）に連結された第２の鋏（１Ａ）、及び別の大きい連結メンバ（２）により第２の鋏（１Ａ）に連結された第３の鋏（１Ｂ）を具えている。、こうして、第３の鋏（１Ｂ）と第２の鋏（１Ｂ）の間の間隙は第２の鋏（１Ｂ）と第１の鋏（１）の間の間隙より大きくなっている。
【００１６】
連結メンバ（２）と結合メンバ（１３，１４）は同一或いは類似の構造とされる。二ちょうの鋏（１，１Ａ，１Ｂ）の間の間隙は、二ちょうの鋏（１）の間に連結された連結メンバ（２）の数を変更することにより調整されうる（図７中の第３の鋏（１Ｂ）と第２の鋏（１Ａ）の間の連結メンバ（２）を参照されたい）。さらに、各鋏（１，１Ａ，１Ｂ）の結合メンバ（１３，１４）の一方及び対応する一方の連結メンバ（２，２’）は省略可能である。
【００１７】
図８は本発明の組合せ式整髪用鋏のまた別の実施例を示す。この実施例において、各結合メンバ（１３’，１４’）は各鋏（１）のハンドル（１１１，１２１）の開口（１１３，１２３）の深さより厚い。これにより結合メンバ（１３’，１４’）の一部が該開口（１１３，１２３）に取り付けられた後に該結合メンバ（１３’，１４’）の一部が二つの鋏（１）の間に露出する。ハンドル（１１１，１２１）の開口（１１３，１２３）より結合メンバ（１３’，１４’）を取り外し、異なる厚さを有する他の連結メンバに交換することにより、二つの鋏（１）の間の間隔が変更される。
【００１８】
図９は周知の固定間隔を具えた組合せ式整髪用鋏で斜めに髪の末端部をカットする状態表示図であり、図１０は本発明の組合せ式整髪用鋏で斜めに髪の末端部をカットする状態表示図である。図９において、二ちょうの鋏の間の間隔は固定されている（ハンドル間に間隔がない）ため、提供できるヘアスタイルの種類は多くない。これは髪の末端部より切り取られる三角形の部分が均一すぎ、互いに接近しすぎるためである。一方、図１０における組合せ式整髪用鋏の隣接する二ちょうの鋏間の間隔は調整でき、このためバラエティーに富んだヘアスタイルを提供できる。これは髪の末端から切り取られる三角形の部分が結果的にヘアスタイルを変化に富んだものとするためである。
【００１９】
図１１は、周知の固定間隔を具えた組合せ式整髪用鋏で斜めに髪の末端部をカット及びすく状態表示図であり、図１２は本発明の組合せ式整髪用鋏で斜めに髪の末端部をカット及びすく状態表示図である。図１１において、二ちょうの鋏の間の間隔は固定されている（ハンドル間に間隔がない）ため、出来上がった髪形の段付けは過密過ぎ、望まれたスタイル（段付け効果）を提供できない。そして、図１２に示されるようなスタイルを得るためには、追加の伝統的なカット手順を必要とする。一方、図１２における組合せ式整髪用鋏の隣接する二ちょうの鋏間の間隔は調整でき、このため一回のカット手順で望まれた図１２のヘアスタイルを得ることができる。
【００２０】
図１３は整髪前の髪表示図、図１４は周知の固定間隔を具えた組合せ式整髪用鋏で髪の末端部をトリミング及びすく状態表示図、図１５は本発明の組合せ式整髪用鋏で髪の末端部をトリミング及びすく状態表示図である。図１４において、二ちょうの鋏の間の間隔は固定されている（ハンドル間に間隔がない）ため、出来上がった髪形の段付けは過密過ぎ、望まれたスタイル（段付け効果）を提供できない。一方、図１５における組合せ式整髪用鋏の隣接する二ちょうの鋏間の間隔は調整でき、このため一回のカット手順で望まれた図１５のヘアスタイルを得ることができる。
【００２１】
図１６は周知の固定間隔を具えた組合せ式整髪用鋏で斜めに髪の末端部をすく状態表示図、図１７は本発明の組合せ式整髪用鋏で斜めに髪の末端部をすく状態表示図である。図１６において、二ちょうの鋏の間の間隔は固定されている（ハンドル間に間隔がない）ため、出来上がった髪形の段付けは過密過ぎ、望まれたスタイル（段付け効果）を提供できない。一方、図１７における組合せ式整髪用鋏の隣接する二ちょうの鋏間の間隔は調整でき、このため一回のカット手順で望まれた図１７のヘアスタイルを得ることができる。
【００２２】
図１８は周知の固定間隔を具えた組合せ式整髪用鋏で髪の中間部をすく状態表示図、図１９は本発明の組合せ式整髪用鋏で髪の中間部をすく状態表示図である。図１８において、二ちょうの鋏の間の間隔は固定されている（ハンドル間に間隔がない）ため、出来上がった髪形の中間の段付けは過密過ぎ、望まれたスタイル（段付け効果）を提供できない。一方、図１９における組合せ式整髪用鋏の隣接する二ちょうの鋏間の間隔は調整でき、このため一回のカット手順で望まれた厚めの図１９のヘアスタイルを得ることができる。
【００２３】
図２０は本発明のさらに別の実施例の組合せ式整髪用鋏の分解斜視図である。そのうち、連結メンバ（２ａ）と結合メンバ（４０）は、前述の実施例とは異なる設計とされている。連結メンバ（２ａ）と結合メンバ（４０）は同一の設計とされている。二ちょうの鋏（１ａ）の間の間隙の調整は連結メンバ（２ａ）の厚さを変えるか、或いは連結メンバ（２ａ）の数を変える（図７参照）ことにより達成される。
【００２４】
図２１は本発明のさらにまた別の実施例の組合せ式整髪用鋏の分解斜視図である。そのうち、各鋏（１ｂ）のハンドル（１１１）に二つのネジ孔（８）が第１側（１１４）に設けられ、各鋏（１ｂ）のもう一方のハンドル（１２１）の第１側（１２４）にネジ孔（７）が設けられている。さらに各鋏（１ｂ）のハンドル（１１１）の第２側（１１５）に三つの孔（３）が設けられ、各鋏（１ｂ）のもう一方のハンドル（１２１）の第２側（１２５）に二つの孔（４）が設けられている。連結メンバ（２ｂ）はピンのような形態とされて鋏（１ｂ）の一方の孔（４）の一つに分離可能に収容される第１端（５）と、もう一方の鋏（１ｂ）のネジ孔（７）にねじ込まれる第２端（６）を具えている。さらに、他の二つの連結メンバ（２ｂ）が提供され、それぞれが、鋏（１ｂ）の一方の孔（３）の一つに分離可能に収容される第１端（５）と、もう一方の鋏（１ｂ）の対応するネジ孔（８）にねじ込まれる第２端（６）を具えている。二ちょうの鋏（１ｂ）間の間隔の調整は、連結メンバ（２ｂ）の長さを変更することにより達成される。
【００２５】
以上の実施例は説明のために提示されたものであって、本発明の実施範囲を限定するものではなく、本発明に基づきなしうる細部の修飾或いは改変は、いずれも本発明の請求範囲に属するものとする。
【００２６】
【発明の効果】
本発明は予期された目的及び作用効果を達成し、優れた機能を有し、ゆえに特許の要件を具備している。
【図面の簡単な説明】
【図１】本発明の第１の実施例の組合せ式整髪用鋏の分解図である。
【図２】図１の組合せ式整髪用鋏の側面図である。
【図３】図２に類似する側面図であるが、図２中の連結メンバが更に厚い別の連結メンバに置き換えられている。
【図４】図１中の連結メンバの斜視図である。
【図５】図３の連結メンバの別角度から観た斜視図である。
【図６】本発明の組合せ式整髪用鋏の別の実施例の側面図である。
【図７】本発明の組合せ式整髪用鋏のさらに別の実施例の分解斜視図である。
【図８】本発明の組合せ式整髪用鋏のさらにまた別の実施例の分解斜視図である。
【図９】周知の固定間隔を具えた組合せ式整髪用鋏で斜めに髪の末端部をカットする状態表示図である。
【図１０】本発明の組合せ式整髪用鋏で斜めに髪の末端部をカットする状態表示図である。
【図１１】周知の固定間隔を具えた組合せ式整髪用鋏で斜めに髪の末端部をカット及びすく状態表示図である。
【図１２】本発明の組合せ式整髪用鋏で斜めに髪の末端部をカット及びすく状態表示図である。
【図１３】整髪前の髪表示図である。
【図１４】周知の固定間隔を具えた組合せ式整髪用鋏で髪の末端部をトリミング及びすく状態表示図である。
【図１５】本発明の組合せ式整髪用鋏で髪の末端部をトリミング及びすく状態表示図である。
【図１６】周知の固定間隔を具えた組合せ式整髪用鋏で斜めに髪の末端部をすく状態表示図である。
【図１７】本発明の組合せ式整髪用鋏で斜めに髪の末端部をすく状態表示図である。
【図１８】周知の固定間隔を具えた組合せ式整髪用鋏で髪の中間部をすく状態表示図である。
【図１９】本発明の組合せ式整髪用鋏で髪の中間部をすく状態表示図である。
【図２０】本発明の別の組合せ式整髪用鋏の分解斜視図である。
【図２１】本発明のまた別の組合せ式整髪用鋏の分解斜視図である。
【符号の説明】
（１）鋏
（２）連結メンバ
（２’）連結メンバ
（１１）鋏エレメント
（１２）鋏エレメント
（１１０，１２０）ブレード
（１１１、１２１）ハンドル
（１１２，１２２）リング部
（１１４，１２４）第１側
（１１５，１２５）第２側
（１１３，１２３）開口
（１３，１４）結合メンバ
（１３２，１４２）連結溝
（１３１，１４１）連結リブ
（１３４，１４４）垂直部
（１３３，１４３）水平部
（１３５，１４５）垂直部
（１３６，１４６）水平部
（２１１）連結リブ
（２２１）連結溝
（２１２）垂直部
（２１３）水平部
（２２３）垂直部
（２２０）垂直チャネル
（２２２）水平部
（１Ａ）鋏
（１Ｂ）鋏
（１３’，１４’）結合メンバ
（２ａ）連結メンバ
（４０）結合メンバ
（８）ネジ孔
（１ｂ）鋏
（７）ネジ孔
（３）孔
（４）孔
【図１】
2004357855.tif 000003
【図２】
2004357855.tif 000004
【図３】
2004357855.tif 000005
【図４】
2004357855.tif 000006
【図５】
2004357855.tif 000007
【図６】
2004357855.tif 000008
【図７】
2004357855.tif 000009
【図８】
2004357855.tif 000010
【図９】
2004357855.tif 000011
【図１０】
2004357855.tif 000012
【図１１】
2004357855.tif 000013
【図１２】
2004357855.tif 000014
【図１３】
2004357855.tif 000015
【図１４】
2004357855.tif 000016
【図１５】
2004357855.tif 000017
【図１６】
2004357855.tif 000018
【図１７】
2004357855.tif 000019
【図１８】
2004357855.tif 000020
【図１９】
2004357855.tif 000021
【図２０】
2004357855.tif 000022
【図２１】
2004357855.tif 000023